(57)【特許請求の範囲】
【請求項１】
開口部からなる少なくとも１つの収容スペースを含むフレームと、
前記少なくとも１つの収容スペース内に可動に配置する少なくとも１つのセグメントと、
位置限定ユニット及び前記位置限定ユニットの周囲に配置する少なくとも１つの固定部を含む位置限定部材であって、前記位置限定部は第一面及び前記第一面に対向する第二面を含み、前記少なくとも１つの固定部は前記位置限定部材を前記フレームに分離可能に装設するために配置し、前記位置限定部が前記開口部を覆うことで前記少なくとも１つのセグメントを前記少なくとも１つの収容スペース内に制限する位置限定部材と、
検知回路を含み、前記フレームに分離可能に装設すると共に前記位置限定部の前記第二面に位置し、且つ前記少なくとも１つのセグメントに外力が作用して前記少なくとも１つのセグメントが前記位置限定部の前記第一面に接触すると、前記検知回路が前記位置限定部における前記少なくとも１つのセグメントの接触位置を検知する取付台と、を備えることを特徴とする、
電子ダーツボード装置。
【請求項２】
前記少なくとも１つの固定部は筒状を呈すると共に前記位置限定部を取り囲むことを特徴とする請求項１に記載の電子ダーツボード装置。
【請求項３】
前記少なくとも１つの固定部の数量は複数であり、これら前記固定部は距離を空けると共に前記位置限定部を取り囲むことを特徴とする請求項１に記載の電子ダーツボード装置。
【請求項４】
各前記固定部は貫通孔を備え、前記フレームは前記位置限定部材に向く表面を含み、前記フレームは前記表面に複数のピンを具備し、これら前記ピンはこれら前記固定部のこれら前記貫通孔にそれぞれ対応すると共にこれら前記貫通孔にそれぞれ貫入するように配置し、前記位置限定部材を前記フレームに分離可能に装設することを特徴とする請求項３に記載の電子ダーツボード装置。
【請求項５】
前記少なくとも１つの固定部は前記フレームに接触する表面を含み、且つ前記表面は平面であることを特徴とする請求項１乃至４の何れか１項に記載の電子ダーツボード装置。
【請求項６】
前記少なくとも１つの固定部は前記フレームに接触する表面を含み、前記表面には少なくとも１つの突起物を備え、且つ前記位置限定部材を前記フレームに分離可能に装設すると、前記突起物が前記フレームに突き当てられることを特徴とする請求項１乃至４の何れか１項に記載の電子ダーツボード装置。
【請求項７】
前記フレームは前記少なくとも１つの固定部に接触する表面を含み、前記表面には少なくとも１つの突起物を備え、且つ前記位置限定部材を前記フレームに分離可能に装設すると、前記突起物が前記少なくとも１つの固定部に突き当てられることを特徴とする請求項１乃至４の何れか１項に記載の電子ダーツボード装置。
【請求項８】
前記フレームは前記少なくとも１つの固定部に接触する第一表面を含み、前記少なくとも１つの固定部は前記フレームに接触する第二表面を含み、前記第一表面には第一接合構成を備え、前記第二表面には第二接合構成を備え、前記第一接合構成及び前記第二接合構成は対応するように配置し、前記第一接合構成を前記第二接合構成に分離可能に接合すると、前記位置限定部材が前記フレームに分離可能に装設することを特徴とする請求項１乃至４の何れか１項に記載の電子ダーツボード装置。
【請求項９】
前記位置限定部及び前記少なくとも１つの固定部のうちの１つは弾性材料で構成していることを特徴とする請求項１乃至４の何れか１項に記載の電子ダーツボード装置。
【請求項１０】
前記フレームはメインフレーム及び前記メインフレームに連接するための支持部を備え、前記少なくとも１つの収容スペースは前記メインフレームに配置し、前記位置限定部材の前記少なくとも１つの固定部は前記位置限定部材を前記メインフレームに分離可能に装設し、前記支持部を前記取付台に分離可能に装設することを特徴とする請求項１に記載の電子ダーツボード装置。
【発明の詳細な説明】
【技術分野】
【０００１】
本発明は、エンターテインメント機器に関し、より詳しくは、電子ダーツボード装置（ｅｌｅｃｔｒｏｎｉｃ  ｄａｒｔｂｏａｒｄ  ａｐｐａｒａｔｕｓ）に関する。
【背景技術】
【０００２】
ダーツはレジャーや大会では多くの場合、中実材質の簡単なダーツボード（例えば、サイザル麻のダーツボード）または電子ダーツボードを使用している。中実材質のダーツボードはダーツをプレイする上で、多くの場合使用者が獲得した得点を自分で計算せねばならないため不便であった。このため、電子ダーツボードが中実材質のダーツボードに徐々に取って代わっている。
【０００３】
一般的な電子ダーツ装置の多くは複数のセグメント及び／または複数の電子素子をダーツボード中に装設している。プレイヤーがダーツをダーツボードに投げ、ダーツが何れか１つのセグメントに命中すると、命中したセグメントの位置にある電子素子が電子素子自体の電磁感知や圧力感知等の感知原理によりダーツの位置を感知し、プレイヤーの得点を計算する。
【発明の概要】
【発明が解決しようとする課題】
【０００４】
しかしながら、前述した従来の技術では、セグメントを交換する場合、従来の電子ダーツ装置の多くは電子ダーツ装置の後方からケースカバーを開き、ダーツボードのベース及び電子素子を取り外した後にダーツボードを取り出すことができる。その後、ダーツボードを開いて交換するセグメントを取り出す。このため、セグメントの交換に時間がかかるほか、ダーツボードを開く過程でセグメントが脱離してしまい、電子素子が異物に接触して損傷することもあった。
【０００５】
そこで、本発明者は上記の欠点が改善可能と考え、鋭意検討を重ねた結果、合理的かつ効果的に課題を改善する本発明の提案に至った。
【０００６】
本発明は、以上の従来技術の課題を解決する為になされたものである。即ち、本発明の目的は、メンテナンスが便利で内部の部材が異物により損壊しない電子ダーツボード装置を提供することである。
【課題を解決するための手段】
【０００７】
上記課題を解決するために、本発明のある態様の電子ダーツボード装置は、開口部からなる少なくとも１つの収容スペースを含むフレームと、前記少なくとも１つの収容スペース内に可動に配置する少なくとも１つのセグメントと、位置限定ユニット及び前記位置限定ユニットの周囲に配置する少なくとも１つの固定部を含む位置限定部材であって、前記位置限定部は第一面及び前記第一面に対向する第二面を含み、前記少なくとも１つの固定部は前記位置限定部材を前記フレームに分離可能に装設するために配置し、前記位置限定部が前記開口部を覆うことで前記少なくとも１つのセグメントを前記少なくとも１つの収容スペース内に制限することと、検知回路を含み、前記フレームに分離可能に装設すると共に前記位置限定部の前記第二面に位置し、且つ前記少なくとも１つのセグメントに外力が作用して前記少なくとも１つのセグメントが前記位置限定部の前記第一面に接触すると、前記検知回路が前記位置限定部における前記少なくとも１つのセグメントの接触位置を検知する取付台と、を備えている。
【０００８】
本発明の好適例において、前記少なくとも１つの固定部は筒状を呈すると共に前記位置限定部を取り囲む。
【０００９】
本発明の好適例において、前記少なくとも１つの固定部の数量は複数であり、これら前記固定部は距離を空けると共に前記位置限定部を取り囲む。
【００１０】
本発明の好適例において、前記少なくとも１つの固定部の数量は複数であり、これら前記固定部は距離を空けると共に前記位置限定部を取り囲む。各前記固定部は貫通孔を備え、前記フレームは前記位置限定部材に向ける表面を含み、前記フレームは前記表面に複数のピンを具備する。これら前記ピンはこれら前記固定部のこれら前記貫通孔にそれぞれ対応すると共にこれら前記貫通孔にそれぞれ貫入するように配置し、前記位置限定部材を前記フレームに分離可能に装設する。
【００１１】
本発明の好適例において、前記少なくとも１つの固定部は前記フレームに接触する表面を含み、且つ前記表面は平面である。
【００１２】
本発明の好適例において、前記少なくとも１つの固定部は前記フレームに接触する表面を含み、前記表面には少なくとも１つの突起物を備えている。前記位置限定部材を前記フレームに分離可能に装設すると、前記突起物が前記フレームに突き当てられる。
【００１３】
本発明の好適例において、前記フレームは前記少なくとも１つの固定部に接触する表面を含み、前記表面には少なくとも１つの突起物を備えている。前記位置限定部材を前記フレームに分離可能に装設すると、前記突起物が前記少なくとも１つの固定部に突き当てられる。
【００１４】
本発明の好適例において、前記フレームは前記少なくとも１つの固定部に接触する第一表面を含み、前記少なくとも１つの固定部は前記フレームに接触する第二表面を含み、前記第一表面には第一接合構成を備え、前記第二表面には第二接合構成を備えている。前記第一接合構成及び前記第二接合構成は対応するように配置し、前記第一接合構成を前記第二接合構成に分離可能に接合すると、前記位置限定部材が前記フレームに分離可能に装設される。
【００１５】
本発明の好適例において、前記位置限定部は弾性材料で構成している。
【００１６】
本発明の好適例において、前記フレームはメインフレーム及び前記メインフレームに連接するための支持部を備えている。前記少なくとも１つの収容スペースは前記メインフレームに配置し、前記位置限定部材の前記少なくとも１つの固定部は前記位置限定部材を前記メインフレームに分離可能に装設し、前記支持部を前記取付台に分離可能に装設する。
【発明の効果】
【００１７】
本発明によれば、次のような効果がある。
本発明に係る電子ダーツボード装置は位置限定部材をフレームに分離可能に装設し、位置限定部材がフレームのセグメントを収容するための収容スペースの開口部を覆うため、セグメントを取り出す過程でセグメントがフレームから勝手に脱離しないようになる。
【００１８】
本発明の他の特徴については、本明細書及び添付図面の記載により明らかにする。
【図面の簡単な説明】
【００１９】
【図１Ａ】本発明の一実施形態に係る電子ダーツボード装置を示す分解概略図である。
【図１Ｂ】図１Ａに示すフレーム、セグメント及び位置限定部を第一組立部に組み立てる部分を示す分解概略図である。
【図２】図１Ａに示す第一組立部の２−２線に沿う部分断面概略図である。
【図３】図２の第一組立部を示す部分拡大断面図である。
【図４】本発明の他の実施形態に係る電子ダーツボード装置の部分拡大図であって、フレーム、セグメント及び位置限定部を第一組立部に組み立てる断面を示す。
【図５】本発明の他の実施形態に係る電子ダーツボード装置の部分拡大図であって、フレーム、セグメント及び位置限定部を第一組立部に組み立てる断面を示す。
【図６】本発明の他の実施形態に係る電子ダーツボード装置のフレーム、セグメント及び位置限定部を第一組立部に組み立てる部分の分解概略図である。
【図７】本発明の一実施形態に係る電子ダーツボード装置の部分傾斜断面概略図であって、ダーツが電子ダーツボード装置に向けて投擲する状態である。
【図８】本発明の一実施形態に係る電子ダーツボード装置の部分分解概略図であって、組み立てられた第二組立部がケースに装設されている状態を示す。
【発明を実施するための形態】
【００２０】
以下に図面を参照して、本発明を実施するための形態について、詳細に説明する。なお、本発明は、以下に説明する実施形態に限定されるものではない。
【００２１】
まず、図１Ａ〜図３と図７を参照しながら、本発明の電子ダーツボード装置をさらに詳しく説明する。
本発明の実施形態に係る電子ダーツボード装置はプレイヤーがダーツゲームをプレイするためのものであり、電子ダーツボード装置は電子ダーツボード盤１０を備え、電子ダーツボード盤１０はフレーム１１と、複数のセグメント１２と、位置限定部材１３と、取付台１４と、を含む。
【００２２】
フレーム１１はメインフレーム１１Ａ及びメインフレーム１１Ａの周囲に設ける支持部１１Ｂを備えている。メインフレーム１１Ａは格子を含み、格子は複数の仕切り板１１１を具備する。各仕切り板１１１はストッパー１１１Ａ及び仕切り片１１１Ｂを備え、ストッパー１１１Ａの一側はプレイヤーに近接し、ストッパー１１１Ａの他側は仕切り片１１１Ｂに連接する。ストッパー１１１Ａは少なくとも１つの延伸部１１１Ｃを含む。これらの仕切り板１１１は複数の収容スペース１１２を提供するために配置し、上述の複数のセグメント１２をそれぞれ収容する。
フレーム１１の支持部１１Ｂはラベル１１５を設けるための数字表記部１１４Ａを含む。支持部１１Ｂの縁端部１１４Ｂは少なくとも１つのラグ部１１４Ｃを具備し、各ラグ部１１４Ｃには螺合部材を貫設するための貫通孔Ｈ１をそれぞれ設けている。本実施形態または他の実施形態において、支持部１１Ｂには少なくとも１つの螺合部材Ｆ１を貫設するための少なくとも１つの貫通孔Ｈ２を更に設けている。
【００２３】
各収容スペース１１２の両側にはストッパー１１１Ａに近接する開口部１１２Ａ及び開口部１１２Ａに対する開口部１１２Ｂをそれぞれ含む。このため、装設時には、各セグメント１２は対応する収容スペース１１２の開口部１１２Ｂから前記収容スペース１１２に装入し、且つプレイヤーが前記収容スペース１１２の開口部１１２Ａからセグメント１２を観察可能となる。セグメント１２は対応する収容スペース１１２内で自由に可動し、且つ前記収容スペース１１２の開口部１１２Ａの付近に位置するストッパー１１１Ａの延伸部１１１Ｃはセグメント１２が開口部１１２Ａから脱出するのを防止する。
【００２４】
図１Ａと図１Ｂに示されるように、各セグメント１２を対応する収容スペース１１２にそれぞれ装入した後、位置限定部材１３をフレーム１１に分離可能に装設し、第一組立部を構成する。換言すれば、第一組立部はフレーム１１と、上述の複数のセグメント１２と、位置限定部材１３と、を備えている。具体的に、位置限定部材１３は位置限定ユニット１３１及び位置限定ユニット１３１の周囲に配置する少なくとも１つの固定部１３２を備えている。位置限定部１３１はセグメント１２に近接する第一面１３１Ａ及び第一面１３１Ａに対する第二面１３１Ｂを含む。
図２及び図３に示すように、本実施例では、固定部１３２は位置限定部材１３をフレーム１１のメインフレーム１１Ａに分離可能に装設するように配置し、位置限定部１３１により開口部１１２Ｂを覆うことでセグメントを対応する収容スペース１１２内に制限し、開口部１１２Ｂから脱出しないようにする。本実施形態または他の実施形態では、位置限定部材１３の投影面積はメインフレーム１１Ａの投影面積よりも大きく、フレーム１１の投影面積は位置限定部材１３の投影面積より大きいが、本発明はこの限りではない。
【００２５】
第一組立部を組み立てた後、第一組立部を取付台１４に分離可能に装設し、第二組立部を構成する。すなわち、第二組立部はフレーム１１と、上述の複数のセグメント１２と、位置限定部材１３と、取付台１４と、を備えている。より詳しくは、取付台１４は、台座１４１と、セグメント１２にダーツが命中しているか否か検知すると共に命中しているセグメント１２の位置を判断するための検知回路１４２と、を含む（図１Ａ参照）。
台座１４１は凹溝部を具備し、検知回路１４２は前記凹溝部の底面１４１Ａに分離可能に設置する。凹溝部の底面１４１Ａには少なくとも１つの貫通孔Ｈ３を設けている。各貫通孔Ｈ３の位置は何れか１つの貫通孔Ｈ２の位置にそれぞれ対応し、螺合部材Ｆ１が貫通孔Ｈ２を貫通した後に貫通孔Ｈ３を貫通する。凹溝部の側辺１４１Ｂには少なくとも１つの切欠き１４１Ｃを設け、且つ底面１４１Ａの切欠き１４１Ｃに近接する箇所には少なくとも１つの貫通孔Ｈ４を設け、前記貫通孔Ｈ４の位置はフレーム１１の１つのラグ部１１４Ｃの貫通孔Ｈ１に対応し、螺合部材が貫通孔Ｈ１を貫通した後に前記貫通孔Ｈ４を貫通する。
組立時には、第一組立部は少なくとも一部分を台座１４１の凹溝部に装入し、位置限定部材１３の位置限定部１３１の第二面１３１Ｂを近接させ、検知回路１４２に接触させる。その後、螺合部材を先にフレーム１１のラグ部１１４Ｃの貫通孔Ｈ１に貫設した後、取付台１４の台座１４１の貫通孔Ｈ４に貫設し、第一組立部を取付台１４に分離可能にロックする。これにより、組み立てられた第二組立部の外観が平坦な美感となる。
【００２６】
本実施形態または他の実施形態において、上述の第二組立部は飾り枠１５を更に備えている。より詳しくは、飾り枠１５のサイズは取付台１４のサイズよりもやや大きい。よって、第一組立部を台座１４１に分離可能にロックした後、フレーム１１を介して飾り枠１５を取付台１４の方向に取付台１４に分離可能に取り付け、フレーム１１、セグメント１２、及び位置限定部材１３を飾り枠１５と取付台１４との間に位置させる。また、飾り枠１５はフレーム１１の貫通孔Ｈ１及び取付台１４の貫通孔Ｈ４にロックする螺合部材及び取付台１４の切欠き１４１Ｃを少なくとも遮蔽する。
【００２７】
第二組立部を組み立てた後にプレイヤーがダーツゲームをプレイ可能になる。ダーツゲームを行う場合の電子ダーツボード装置の運用を例を挙げて説明する。図７に示されるように、各セグメント１２はセグメント体１２１及び少なくとも１つの接触部１２２を備えている。セグメント体１２１はプレイヤー及び開口部１１２Ａに向ける第一面１２１１及び第一面１２１１に対する第二面１２１２を含む。セグメント体１２１の第二面１２１２には上述の接触部１２２を延設し、且つ接触部１２２のセグメント体１２１から離間する一端は位置限定部材１３に隣接する。
プレイヤーがダーツ１を電子ダーツボード装置に設けている１つのセグメント１２に向けて投擲すると、ダーツがこのセグメント１２のセグメント体１２１の第一面１２１１に刺さり、セグメント１２に作用力（即ち、外力）を与える。セグメント１２はフレーム１１の対応する収容スペース１１２中に可動に設置しているため、作用力を獲得したセグメント１２が位置限定部材１３の方向に移動し、位置限定部材１３の位置限定部１３１を圧迫する。本実施例では、位置限定部材１３の位置限定部１３１は弾性材料で構成するため、位置限定部１３１の圧迫される接触領域Ｔが検知回路１４２に更に接触する。この際、検知回路１４２が位置限定部１３１の接触を検知し、前記接触領域Ｔの位置に基づいて前記接触領域Ｔが対応するセグメント１２に命中しているか否か判断すると共に命中したセグメント１２の位置を判断し、後続の得点計算プログラムに提供する。得点計算プログラムによる得点計算ルールは実際の需要に応じて設計する。
【００２８】
セグメント１２を交換する場合、或いは検知回路１４２をメンテナンスする場合、電子ダーツボード盤１０からプレイヤーの一側に向けて取付台１４から飾り枠１５を取り外し、貫通孔Ｈ１及びＨ４に貫設する螺合部材を取り外すのみで、第一組立部及び取付台１４を分離できる。次いで、フレーム１１から位置限定部材１３を取り外した後、交換するセグメント１２を取り出す。
フレーム１１にはフレーム１１を取付台１４に取り付けるための貫通孔を設けているため、電子ダーツボード盤１０からプレイヤーの一側に向けて取付台１４から第一組立部を取り外すことができ、検知回路１４２内の電子部材を傷付ける恐れはない。また、セグメント１２がフレーム１１と位置限定部材１３との間に位置し、且つ位置限定部材１３をフレーム１１に分離可能に装設するため、第一組立部を取付台１４から取り外す過程で、セグメント１２が対応する収容スペース１１２から勝手に脱出することがない。
【００２９】
上述の図３の実施形態では、固定部１３２がスリーブ形状を呈すると共に内側面が平面であるものを例として説明するが、本発明の固定部は上述の例に限定されず、その配置及び設計は位置限定部材をフレーム１１に分離可能に装設し、位置限定部が少なくともそのうちの１つの収容スペース１１２の開口部を遮蔽し、この収容スペース１１２に装設する少なくとも１つのセグメント１２がこの収容スペース１１２から勝手に離脱しないようにするものであればよい。例えば、位置限定部材全体の材料が弾性材料（例えば、シリコンゴム）であり、且つ平坦な形状を呈するため、位置限定部材をフレーム１１に分離可能に装設する場合、まず位置限定部材を引っ張った後、フレーム１１に直接覆設する。この際、セグメントがある範囲内を覆う位置限定部材の部分は位置限定部とし、フレーム１１に被装する位置限定部材の部分は固定部とする。
また、図４に示されるように、位置限定部材１３’は上述の位置限定部１３１及び位置限定部１３１の周囲に連接する少なくとも１つの固定部１３２’を含み、且つ固定部１３２’の内側面（または第二表面と呼称する）には接合構成１３２１を設置する。この接合構成１３２１は制限しないが少なくとも１つのバンプまたはリブ等の突起物であり、この突起物をメインフレーム１１Ａの仕切り板１１１に突き当てることで固定部１３２’及びフレーム１１の接触の摩擦力が増加し、位置限定部材１３’がフレーム１１から勝手に脱落しなくなる。
また、図５に示されるように、メインフレーム１１Ａの仕切り板１１１’の外側面（または第一表面と呼称する）には接合構成１１３（または第一接合構成と呼称する）を設置し、接合構成１１３は固定部１３２’の内側面にある接合構成１３２１（または第二接合構成と呼称する）に対応するように適合する。接合構成１１３は少なくとも１つのバンプまたはリブ等の突起物であり、或いは少なくとも１つのピットまたは凹溝部等の陥没領域である。なお、固定部の数量は複数であり、これら固定部の間は距離を空けると共に位置限定部を取り囲み、固定部及びフレームの境界箇所の構造は相互に対応して適合するものであればよい。
図６に示されるように、固定部１３２”の数量は複数であり、これら固定部１３２”の間は距離を空けると共に位置限定部１３１を取り囲む。これら固定部１３２”はラグ部であり、各ラグ部には貫通孔Ｈ５を設けている。フレーム１１”の位置限定部材１３”に向ける表面にはこれら貫通孔Ｈ５にそれぞれ対応する複数のピン１１６を設置する。第一組立部の組立時には、これらピン１１６により対応する貫通孔Ｈ５をそれぞれ貫通させ、フレーム１１”を位置限定部材１３”に分離可能に装設し、セグメント１２をフレーム１１”と位置限定部材１３”との間に位置させる。
【００３０】
また、上述の実施形態ではフレーム１１にラグ部１１４Ｃを設けると共に取付台１４にラグ部１１４Ｃを収容するための切欠き１４１Ｃを設け、且つラグ部１１４Ｃの貫通孔Ｈ１は切欠き１４１Ｃ内の貫通孔Ｈ４に対応するように配置するが、本発明はこれに限られない。他の実施例では、フレームには貫通孔に提供するためのラグ部を設ける必要がなく、フレームの支持部に貫通孔を直接設け、且つこの貫通孔に対応する台座の位置に他の貫通孔を更に設け、螺合部材をこの２つの貫通孔に貫設した後、フレームを取付台に分離可能に装設する。即ち、第一組立部を取付台に分離可能に装設する。
【００３１】
他の実施例では、電子ダーツボード装置の取付台はケースに設置し、電子ダーツボード装置を好きな場所に堅固に立設可能にする。飾り枠を設置せず、フレームにラグ部を設けていない電子ダーツボード盤を例にすると、図８に示されるように、組み立てた第一組立部２０をケース３０に装設する。第一組立部２０は上述の実施形態に係る第一組立部と相似し、且つフレーム２１の支持部２１Ｂには少なくとも１つの貫通孔Ｈ２’を設け、他の構造及び構成については上述の各実施形態を参照し、再述はしない。
【００３２】
ケース３０はケースシート３１及びケースシート３１に枢着するケースカバー３２を備えている。ケースシート３１は取付台１４’を含み、取付台１４’には検知回路（図示省略）を設置し、検知回路の作用については上述の実施形態の関連する説明を参照し、再述はしない。取付台１４’には少なくとも１つの貫通孔Ｈ６を設け、各貫通孔Ｈ６は各貫通孔Ｈ２’に対応する。第二組立部の組立では、第一組立部２０をケース３０に分離可能に装設し、螺合部材によりまずフレーム２１をプレイヤーの一側に向けてフレーム２１の貫通孔Ｈ２’に貫設し、その後取付台１４’の貫通孔Ｈ６に貫設する。これにより、第一組立部２０をケース３０のケースシート３１にロックする。最後に、ケース３０のケースカバー３２を閉め、第二組立部の組立を完了すると、電子ダーツボード装置の組立が完成する。
【００３３】
同様に、セグメントの交換または検知回路をメンテナンスする場合、フレーム２１からプレイヤーの一側に向けて貫通孔Ｈ２’及び貫通孔Ｈ６に貫設する螺合部材を取り外すのみで、第一組立部２０をケース３０から取り外すことができる。次いで、第一組立部２０の位置限定部材を取り外した後、交換するセグメントを取り出す。フレーム２１には螺合部材を貫設するための貫通孔Ｈ２’を設けているため、電子ダーツボード装置からプレイヤーの一側に向けて第一組立部２０をケースシート３１から取り外し可能となり、ケースシート３１に設置する検知回路内の電子部材を損傷することがなくなる。
【００３４】
以上を総合すると、本発明に係る電子ダーツボード装置はフレームにフレームを取付台に取り付けるためのロック構造を設置しているため、セグメントの交換または検知回路のメンテナンス過程で電子ダーツボード装置からプレイヤーの一側に向けてフレームと一緒にセグメントを取付台から取り外し可能となり、検知回路の電子部材を損傷することがなくなり、検知回路の耐用年数が延びる。
また、本発明に係る電子ダーツボード装置はセグメントをフレームと位置限定部材との間に設置して第一組立部を構成するため、第一組立部を取り外す過程において、セグメントが収容スペース中から勝手に脱出しなくなる。よって、セグメントの交換及びメンテナンスの効率が大幅に向上する。
【００３５】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００３６】
１  ダーツ
１０  電子ダーツボード盤
１１  フレーム
１１”  フレーム
１１Ａ  メインフレーム
１１Ｂ  支持部
１１１  フレームの仕切り板
１１１’  フレームの仕切り板
１１２  収容スペース
１１２Ａ  収容スペースの開口部
１１２Ｂ  収容スペースの開口部
１１３  フレームの接合構成
１１４Ａ  フレームの数字表記部
１１４Ｂ  フレームの縁端部
１１４Ｃ  フレームのラグ部
１１５  ラベル
１１６  ピン
１２  セグメント
１２１  セグメント体
１２２  接触部
１２１１  セグメント体の第一面
１２１２  セグメント体の第二面
１３  位置限定部材
１３’  位置限定部材
１３”  位置限定部材
１３１  位置限定部
１３１Ａ  位置限定部の第一面
１３１Ｂ  位置限定部の第二面
１３２  固定部
１３２’  固定部
１３２”  固定部
１３２１  位置限定部材の接合構成
１４  取付台
１４’  取付台
１４１  取付台の台座
１４１Ａ  台座における凹溝部の底面
１４１Ｂ  台座における凹溝部の側辺
１４１Ｃ  台座における凹部の側辺の切欠き
１４２  検知回路
１５  飾り枠
２０  第一組立部
２１  フレーム
２１Ｂ  支持部
３０  ケース
３１  ケースシート
３２  ケースカバー
Ｈ１  貫通孔
Ｈ２  貫通孔
Ｈ２’  貫通孔
Ｈ３  貫通孔
Ｈ４  貫通孔
Ｈ５  貫通孔
Ｈ６  貫通孔
Ｆ１  螺合部材
Ｔ  接触領域
【要約】
【課題】電子ダーツボード装置を提供する。
【解決手段】本発明に係る電子ダーツボード装置は、少なくとも１つの収容スペースを含むフレームと、収容スペース内に可動に配置する少なくとも１つのセグメントと、位置限定ユニット及び位置限定ユニットの周囲に配置する少なくとも１つの固定部を含み、固定部が位置限定部材をフレームに分離可能に装設すると位置限定部が収容スペースの開口部を覆う位置限定部材と、検知回路を含み、フレームに分離可能に装設すると共に位置限定部の第二面に位置する取付台と、を備えている。セグメントに外力が作用し、セグメントが位置限定部の第二面に対向する第一面に接触すると、検知回路が位置限定部におけるセグメントの接触位置を検知する。これにより、フレームを取付台から取り外す際にセグメントが勝手に外れなくなる。
【選択図】図１Ａ【図１Ａ】
0006964730.tif 000002
【図１Ｂ】
0006964730.tif 000003
【図２】
0006964730.tif 000004
【図３】
0006964730.tif 000005
【図４】
0006964730.tif 000006
【図５】
0006964730.tif 000007
【図６】
0006964730.tif 000008
【図７】
0006964730.tif 000009
【図８】
0006964730.tif 000010